(57)【要約】【課題】選択した放送局の番組の視聴が困難となった場合であっても、それとの関連性が高い映像ファイルを継続して視聴することのできる移動体用デジタル放送受信装置を提供する。【解決手段】受信した前記デジタル放送信号から、視聴する放送局の放送信号を選択するチューナと、番組の映像ファイルと該映像ファイルに関連付けて番組を放送する放送局の系列局を特定する系列データ及び／又は番組の分類データを記憶する記憶手段と、選択した前記放送信号の受信レベルを監視し、前記受信レベルが所定の受信レベル以下になったとき、前記チューナにより選択された前記放送信号に多重されている前記系列データ及び／又は前記分類データに基づき、視聴していた前記番組に関連する映像ファイルを前記記憶手段から選択して再生する再生手段と、を備える。【選択図】図１
2012119834.tif 000002
【特許請求の範囲】
【請求項１】
移動体に搭載され、デジタル放送信号を受信する移動体用デジタル放送受信装置において、
受信した前記デジタル放送信号から、視聴する放送局の放送信号を選択するチューナと、
番組の映像ファイルと該映像ファイルに関連付けて該番組を放送する放送局の系列局を特定する系列データ及び／又は該番組の分類データを記憶する記憶手段と、
選択した前記放送信号の受信レベルを監視し、前記受信レベルが所定の受信レベル以下になったとき、前記チューナにより選択された前記放送信号に多重されている前記系列データ及び／又は前記分類データに基づき、視聴していた前記番組に関連する映像ファイルを前記記憶手段から選択して再生する再生手段と、
を備えることを特徴とする移動体用デジタル放送受信装置。
【請求項２】
前記記憶手段は、記憶された前記映像ファイルを視聴済であるか否かを示す視聴状態データを記憶し、
前記再生手段は、前記再生を行う際、前記視聴状態データに基づき、未視聴の映像ファイルを優先的に選択して再生することを特徴とする請求項１に記載の移動体用デジタル放送受信装置。
【請求項３】
前記記憶手段は、音楽ファイルを記憶し、
前記再生手段は、前記記憶手段に再生すべき映像ファイルが存在しないとき、前記音楽ファイルを再生することを特徴とする請求項１又は２に記載の移動体用デジタル放送受信装置。
【発明の詳細な説明】
【技術分野】
【０００１】
本発明は、移動体用デジタル放送受信装置に関するものであり、特に、自動車等の移動体に搭載され、移動により視聴中の番組の受信状態が悪化した場合に、他の関連する映像ファイルに表示を切り替えて再生することのできる移動体用デジタル放送受信装置に関するものである。
【背景技術】
【０００２】
近年、電子機器の小型化、低価格化が進んでおり、例えば、移動体である自動車には、オーディオ・ビデオ装置やカーナビゲーション装置に加えて、デジタル放送受信装置も搭載されるようになってきている。この場合、デジタル放送では、ゴーストに強い伝送方式（ＯＦＤＭ）が採用されており、良好な映像を楽しむことができる。
【０００３】
しかしながら、移動体に搭載されたデジタル放送受信装置においては、家庭に固定されたデジタル放送受信装置のような安定した受信状態を得ることは困難である。例えば、移動体がデジタル放送信号の受信エリアから外れると、番組の視聴を継続することができなくなってしまう。
【０００４】
そこで、このような問題を解消するため、例えば、下記の特許文献１（特開２００７−２５９０５３号公報）には、移動体が受信エリアから外れた場合、同じ放送局の他の送信局を選局することにより、同一番組を継続して受信できるようにした地上デジタル放送受信装置が開示されている。
【０００５】
この特許文献１に開示された地上デジタル放送受信装置は、放送局の各送信局から送信される送信信号に含まれる送信局の周波数情報に基づき、同一番組を受信可能な送信信号を走査し、所定の受信レベル以上となる送信信号を選択するように構成したものである。この場合、移動体の移動に伴い、所定の受信レベル以上となる送信信号を連続的に受信し、同一番組を継続して視聴することが可能となる。
【先行技術文献】
【特許文献】
【０００６】
【特許文献１】特開２００７−２５９０５３号公報（段落［００１３］）
【発明の概要】
【発明が解決しようとする課題】
【０００７】
しかしながら、移動体の移動先には、必ずしも今まで視聴していた番組と同一の番組を送信する送信局が存在するとは限らない。また、例えば、トンネル内や難視聴地域を移動する場合には、何れの放送局からの送信信号も受信できないこともある。
【０００８】
本発明は、上記の問題点を解消することを課題とするものであり、選択した放送局の番組の視聴が困難となった場合であっても、現在視聴中の番組と関連性が高い映像ファイルを継続して視聴することのできる移動体用デジタル放送受信装置を提供することを目的とするものである。
【課題を解決するための手段】
【０００９】
前記課題を解決するために、本願の請求項１にかかる発明は、
移動体に搭載され、デジタル放送信号を受信する移動体用デジタル放送受信装置において、
受信した前記デジタル放送信号から、視聴する放送局の放送信号を選択するチューナと、
番組の映像ファイルと該映像ファイルに関連付けて該番組を放送する放送局の系列局を特定する系列データ及び／又は該番組の分類データを記憶する記憶手段と、
選択した前記放送信号の受信レベルを監視し、前記受信レベルが所定の受信レベル以下になったとき、前記チューナにより選択された前記放送信号に多重されている前記系列データ及び／又は前記分類データに基づき、視聴していた前記番組に関連する前記映像ファイルを前記記憶手段から選択して再生する再生手段と、
を備えることを特徴とする。
【００１０】
また、本願の請求項２にかかる発明は、請求項１にかかる移動体用デジタル放送受信装置において、前記記憶手段は、記憶された前記映像ファイルを視聴済であるか否かを示す視聴状態データを記憶し、前記再生手段は、前記再生を行う際、前記視聴状態データに基づき、未視聴の映像ファイルを優先的に選択して再生することを特徴とする。
【００１１】
また、本願の請求項３にかかる発明は、請求項１又は２にかかる移動体用デジタル放送受信装置において、前記記憶手段は、音楽ファイルを記憶し、前記再生手段は、前記記憶手段に再生すべき映像ファイルが存在しないとき、前記音楽ファイルを再生することを特徴とする。
【発明の効果】
【００１２】
請求項１にかかる発明においては、移動体用デジタル放送受信装置は、受信した前記デジタル放送信号から、視聴する放送局の放送信号を選択するチューナと、番組の映像ファイルと関連付けて該番組を放送する放送局の系列局を特定する系列データ及び／又は該番組の分類データを記憶する記憶手段と、選択され前記放送信号の受信レベルを監視し、前記受信レベルが所定の受信レベル以下になったとき、前記チューナにより選択された前記放送信号に多重されている前記系列データ及び／又は前記分類データに基づき、視聴していた前記番組に関連する映像ファイルを前記記憶手段から選択して再生する再生手段とを備える。
【００１３】
かかる構成によれば、デジタル放送信号の受信状態にかかわらず、選択した放送局の番組、あるいは、それに関連する映像ファイルを継続して視聴し、楽しむことができる。
【００１４】
また、請求項２にかかる発明においては、請求項１にかかる移動体用デジタル放送受信装置において、前記記憶手段は、記憶された前記映像ファイルを視聴済であるか否かを示す視聴状態データを記憶し、前記再生手段は、前記再生を行う際、前記視聴状態データに基づき、未視聴の映像ファイルを優先的に選択して再生する。
【００１５】
このような構成により、未視聴の映像ファイルを視聴できる機会が増加する。
【００１６】
また、請求項３にかかる発明においては、請求項１又は２にかかる移動体用デジタル放送受信装置において、前記再生手段は、前記記憶手段に再生すべき映像ファイルが存在しないとき、前記音楽ファイルを再生する。
【００１７】
このような構成により、視聴したい映像ファイルが存在しない場合であっても、音楽ファイルを選択して楽しむことができる。
【図面の簡単な説明】
【００１８】
【図１】本発明の一実施例である移動体用デジタル放送受信装置の構成ブロック図である。
【図２】前記移動体用デジタル放送受信装置が受信するＴＳ信号に多重されているネットワーク情報テーブル（ＮＩＴ：Network Information Table）の説明図である。
【図３】前記移動体用デジタル放送受信装置の記憶手段に記憶される映像ファイル情報の説明図である。
【図４】前記移動体用デジタル放送受信装置の処理フローチャートである。
【発明を実施するための形態】
【００１９】
以下、本発明の具体例を実施例及び図面を用いて詳細に説明する。但し、以下に示す実施形態は、本発明の技術的思想を具体化するための移動体用デジタル放送受信装置を例示するものであって、本発明をこの移動体用デジタル放送受信装置に特定することを意図するものではなく、特許請求の範囲に含まれるその他の実施形態の移動体用デジタル放送受信装置にも等しく適応し得るものである。
【実施例】
【００２０】
図１は、本発明の一実施例である移動体用デジタル放送受信装置１００の構成ブロック図である。
【００２１】
移動体用デジタル放送受信装置１００は、ＤＴＶチューナ２と、復調部３と、オーディオフィルタ４と、オーディオデコーダ５と、ビデオフィルタ６と、ビデオデコーダ７と、データフィルタ８と、データデコーダ９と、オーディオエンコーダ１０と、ビデオエンコーダ１１と、Ｄ／Ａコンバータ１２と、ＬＰＦ／ドライバ１３と、映像処理部１４と、Ｄ／Ａコンバータ１５と、ＬＰＦ／ドライバ１６と、映像表示部１７と、音声出力部１８と、スピーカ１９と、操作入力部２０と、ＣＰＵ２１（再生手段）と、ＲＡＭ２２と、ＲＯＭ２３と、記録媒体２４（記憶手段）と、を備える。ＤＴＶチューナ２には、移動体である車両に設けられるアンテナ１が接続される。
【００２２】
ＤＴＶチューナ２は、アンテナ１からデジタル放送信号を受信し、所望の物理チャンネルで選局を行う。なお、ここでいう所望のチャンネルとは、ユーザが指定した（所望する）チャンネルである。
【００２３】
復調部３は、ＤＴＶチューナ２により選局されたチャンネルのデジタル放送信号を復調およびエラー訂正し、ワンセグと１２セグ（フルセグ）それぞれのＴＳ信号を出力するものである。
【００２４】
なお、ワンセグ放送のみに対応した機器の場合は、受信できるのはワンセグにかかるデジタル放送信号のみとなるので、こういった機器における復調部１３では、ＤＴＶチューナ２により受信されたデジタル放送信号からワンセグにかかるＴＳ信号を出力するものとする。
【００２５】
オーディオフィルタ４は、ＴＳ信号に多重されているオーディオデータのみを抽出し、オーディオデコーダ５は、抽出されたオーディオデータを復号し、デジタル音声信号を出力する。デジタル音声信号は、ワンセグと１２セグが切替えられ（より具体的には、１２セグ視聴中／録画中に受信状態が悪化するとワンセグに切替えられ、ワンセグ視聴中／録画中に受信状態が良好になると１２セグに切替えられ）、視聴を行う場合はＤ／Ａコンバータ１２に出力され、録画を行う場合はオーディオエンコーダ１０に出力される。
【００２６】
Ｄ／Ａコンバータ１２は、オーディオデコーダ５から入力されるデジタル音声信号をアナログベースバンド信号に変換し、ＬＰＦ／ドライバ１３を介して音声出力部１８に出力する。音声出力部１８は、音声信号の周波数特性を変化させるイコライザ機能や音声信号の電力を増幅するアンプ機能を有し、スピーカ１９は、電力増幅された音声信号に基づき音声を発生する。これにより、放送音声が発生される。
【００２７】
ビデオフィルタ６は、ＴＳ信号に多重されているビデオデータのみを抽出し、ビデオデコーダ７は、抽出されたビデオデータを復号しデジタル映像信号を出力する。デジタル映像信号は、上述のデジタル音声信号と同様に、ワンセグと１２セグが切替えられて、視聴を行う場合は映像処理部１４に出力され、録画を行う場合はビデオエンコーダ１１に出力される。
【００２８】
映像処理部１４は、ビデオデコーダ７から入力されるデジタル映像信号の映像サイズを変更するスケーラ機能や、文字等を重畳するＯＳＤ（On Screen Display）機能を有する。
【００２９】
Ｄ／Ａコンバータ１５は、映像処理部１４から入力される映像信号をアナログ映像信号に変換し、ＬＰＦ／ドライバ１６を介して映像表示部１７に出力する。映像表示部１７はＬＣＤ等で構成され、放送映像やＯＳＤ映像を表示する。
【００３０】
データフィルタ８は、ＴＳ信号に多重されている伝送パラメータ、ネットワーク情報テーブル（ＮＩＴ：Network Information Table）、番組配列情報（ＳＩ：Service Information）、データ放送等のデータをＴＳ信号から抽出し、データデコーダ９は、抽出されたこれらのデータを復号する。
【００３１】
オーディオエンコーダ１０は、オーディオデコーダ５から入力されるデジタル音声信号を圧縮符号化するものであり、符号化された音声データは記録媒体２４に記録される。ビデオエンコーダ１１は、ビデオデコーダ７から入力されるデジタル映像信号を圧縮符号化するものであり、符号化された映像データは記録媒体２４に記録される。また、再生の際は、記録媒体２４から読み出された符号化された音声データがオーディオデコーダ５により復号され、記録媒体２４から読み出された符号化された映像データがビデオデコーダ７により復号される。
【００３２】
なお、これら記録媒体２４への記録や、記録媒体２４からの読み出し等の処理については後述するＣＰＵ２１により実行されるものである。
【００３３】
操作入力部２０は、図示しないハードキー、タッチパネル並びにリモコン受光部を含み、ユーザの操作による操作信号を出力する。
【００３４】
ＣＰＵ２１は、各種演算、処理、制御を行う演算処理装置である。ＲＡＭ２２は、ＣＰＵ２１のワークメモリ等に用いられる。ＲＯＭ２３は、ＣＰＵ２１が実行する制御プログラムを格納する。
【００３５】
記録媒体２４は、ＳＤメモリカード等で構成され、ＴＳ信号に多重されているＮＩＴ及びＳＩが記憶されるとともに、番組の映像ファイルが記憶される。また、記録媒体２４には、任意の音楽ファイルも記憶される。この記録媒体が、本願発明でいう記憶手段を構成している。
【００３６】
図２は、記録媒体２４に記憶されるＮＩＴの説明図である。ＮＩＴには、放送局が放送サービスを提供している地域を示す地域識別コード、放送局名、系列局を特定する系列データ、当該放送局が送信するデジタル放送信号の周波数のデータが含まれる。図２に示すＮＩＴは、移動体用デジタル放送受信装置１００が、デジタル放送を受信する際に用いられるものであるから、必ずしも記録媒体２４に記憶される必要はなく、ＲＡＭ２２に記憶されていてもよく、記録媒体２４およびＲＡＭ２２の両方に記憶されていてもよい。
【００３７】
また、図２には、系列局を特定する系列データを記憶する例を示しているが、系列局に限らず、中継局を特定するデータを記憶させてもよく、また系列局を特定するデータと中継局を特定するデータ両方を記憶する構成としても構わない。
【００３８】
なお、本実施形態で説明する系列局とは、中継局も含むものとして説明を行う。
【００３９】
図３は、記録媒体２４に記憶される映像ファイルに付加される映像ファイル情報の説明図である。
【００４０】
映像ファイル情報には、映像ファイルのファイル名（ユーザが任意に決定、または記録媒体２４に記録された順で自動的に付加される番号等）や、放送局名、系列データ、ＳＩから取得される番組名、放送日時、番組内容、映像ファイルのジャンルを示す分類データであるジャンルコード、当該映像ファイルが視聴済みであるか否かを示す視聴フラグが含まれる。系列データは、ＮＩＴに含まれる系列データと同じである。また、ジャンルコードは、例えば、映像ファイルをニュース、ドキュメンタリ、ドラマ、映画、アニメ等のジャンルに分類する分類データである。
【００４１】
なお、図１では図示していないが、移動体用デジタル放送受信装置１００は、上述した構成要素に加えて、ナビゲーション機能に必要な構成（地図記憶部、ＧＰＳ受信部等）を有しており、移動体の経路案内を行うナビゲーション装置としても機能する。
【００４２】
ここで、移動体用デジタル放送受信装置の処理について、図４のフローチャートを用いて説明を行う。
【００４３】
ＤＴＶチューナ２は、アンテナ１からデジタル放送信号を受信した後（ステップＳ１０１）、ユーザが指定した放送局の番組を選択し（ステップＳ１０２）、その後、復調部３により、選択された放送局の番組にかかるＴＳ信号が出力される。ここで、ユーザが当該番組の録画を指示した場合（ステップＳ１０３、ＹＥＳ）、ＣＰＵ２１は、ＴＳ信号に多重されている当該番組にかかる映像ファイル情報を記録媒体２４に記憶させる（ステップＳ１０４）。この場合、映像ファイル情報としては、映像ファイルのファイル名（Ｆ１、Ｆ２、Ｆ３、…）、放送局名（Ａ、Ｂ、…）、系列局を特定する系列データ（ＡＡ、ＢＢ、…）、番組名、放送日時、番組内容、映像ファイルのジャンルコード（ａ、ｂ、ｃ、…）、当該映像ファイルが視聴済みであるか否かを示す視聴フラグがある。なお、視聴フラグは、例えば、未視聴であれば０、視聴済みであれば１のように設定することができ、ステップＳ１０４の段階では、映像ファイルは記録されたばかりであり未視聴であるためフラグは０に設定される。
【００４４】
映像ファイル情報を記憶させた後、当該番組を映像ファイルとして記録媒体２４に録画する（ステップＳ１０５、Ｓ１０６）。このとき、映像ファイルと映像ファイル情報とを関連付けた形で記録媒体２４に記憶するものとする。また、映像ファイル情報と映像ファイルとを異なる記録媒体に記録する場合は、双方のデータに対し、双方のデータを関連付ける識別情報を付加して記録する。
【００４５】
このように、記憶媒体２４には、ユーザにより録画指示がされた番組に関する映像ファイルと映像ファイル情報とが関連付けられて記憶されている。
【００４６】
ステップＳ１０３の処理において、ユーザが番組を視聴する場合には（ステップＳ１０３、ＮＯ）、オーディオフィルタ４により、ＤＴＶチューナ２により選択され、復調部３より出力されたＴＳ信号からオーディオデータが抽出され、その後、各処理過程を経てスピーカ１９により放送音声として出力されるとともに、ビデオフィルタ６により、ＴＳ信号からビデオデータが抽出され、その後、各処理過程を経て映像表示部１７において映像が表示される。なお、オーディオデータの出力およびビデオデータの表示に関する各処理過程については上述した通りであるため、ここでの説明は省略する。
【００４７】
そして、ユーザは、指定した放送局の番組を視聴する（ステップＳ１０７、Ｓ１０８）。
【００４８】
一方、移動体を移動させながら番組を視聴している場合において、例えば、移動体が当該放送局の受信エリア外に移動し、あるいは、トンネル等の受信できない場所に移動し、当該番組の受信不良状態が３０秒以上継続したことをＣＰＵ２１が判定したとき（ステップＳ１０９、ＹＥＳ）、ＣＰＵ２１は、直前まで視聴していた番組にかかるＮＩＴの情報（図２）に基づき、直前まで視聴していた番組と同一の番組を放送する系列局の受信エリアに現在位置が位置するか否かを検索する（ステップＳ１１０）。例えば、直前まで視聴していた番組を放送する放送局の系列データ（系列局を示すデータ）がＡＡであり、現在位置の地域識別コードが０１である場合、図２に示すように、現在位置において系列局の番組を受信可能であるため（ステップＳ１１１、ＹＥＳ）、ＤＴＶチューナ２は、同一番組を放送する系列局に切り替え（ステップＳ１１２）、番組の視聴を継続する（ステップＳ１０８）。この場合、ユーザは、同じ番組を継続して視聴することができる。なお、受信不良状態が３０秒以上継続することを条件として系列局に切り替える理由は、直前まで視聴していた番組を放送する放送局からのデジタル放送信号が、短時間後に復帰する(再度受信可能)となることも考えられるからである。
【００４９】
直前まで視聴していた番組を放送する放送局と同一番組を放送する系列局のデジタル放送信号を受信できない場合（ステップＳ１１１、ＮＯ）、ＣＰＵ２１は、記録媒体２４に録画されている映像ファイルから、直前まで視聴していた番組を放送する放送局の映像ファイルを検索する（ステップＳ１１３）。映像ファイルの検索は、記録媒体２４に記憶されている映像ファイル情報（図３）に基づいて行われる。例えば、直前まで視聴していた番組の放送局名がＡである場合、記録媒体２４には、放送局名がＡの２つのファイルＦ１及びＦ２が録画されているため、ＣＰＵ２１は、対象ファイルが有るものと判定する（ステップＳ１１４、ＹＥＳ）。この場合、映像ファイル情報の視聴フラグから、ファイルＦ１は視聴済みであり、ファイルＦ２は未視聴の映像ファイルである。そこで、ＣＰＵ２１は、未視聴のファイルＦ２を優先して選択し、再生する（ステップＳ１１５）。
【００５０】
なお、このときに、記録媒体２４に録画されている映像ファイルから、直前まで視聴していた番組を放送する放送局の映像ファイルを検索するのではなく、直前まで視聴していた番組を放送する放送局の系列局の映像ファイルを検索しても構わない。
【００５１】
直前まで視聴していた番組を放送する放送局の映像ファイルが記録されていない場合（ステップＳ１１４、ＮＯ）、ＣＰＵ２１は、記録媒体２４に録画されている映像ファイルから、直前まで視聴していた番組と同一ジャンルの映像ファイルを検索する（ステップＳ１１６）。例えば、直前まで視聴していた番組のジャンルコードがｃである場合、記録媒体２４には、同一ジャンルのファイルＦ３が録画されているため、ＣＰＵ２１は、同一ジャンルの対象ファイルが有るものと判定する（ステップＳ１１７、ＹＥＳ）。そこで、ＣＰＵ２１は、ファイルＦ３を選択して再生する（ステップＳ１１５）。なお、同一ジャンルの映像ファイルが複数ある場合には、未視聴ファイルを優先して選択する。このようにして、同一ジャンルの映像ファイルを選択して再生させることにより、直前に視聴していた番組に関連する番組を視聴することができる。
【００５２】
同一ジャンルの対象ファイルが録画されていない場合（ステップＳ１１７、ＮＯ）、ＣＰＵ２１は、記録媒体２４に録画されている映像ファイルから、未視聴ファイルを検索する（ステップＳ１１８）。未視聴ファイルであるか否かは、映像ファイル情報の視聴フラグから判定できる。未視聴ファイルが有ると判定すると（ステップＳ１１９、ＹＥＳ）、ＣＰＵ２１は、その映像ファイルを再生する（ステップＳ１２０）。なお、未視聴ファイルが複数ある場合には、例えば、録画日時の古い順に選択して再生するようにしてもよい。
【００５３】
未視聴ファイルがない場合（ステップＳ１１９、ＮＯ）、ＣＰＵ２１は、記録媒体２４に録音されている音楽ファイルを再生する（ステップＳ１２１）。この場合、音楽ファイルは、複数の楽曲をランダムに抽出して再生することができる。なお、音楽ファイルを再生せずに、視聴済みのファイルを選択して再生してもよい。
【００５４】
一方、受信できない番組に代えて録画された映像ファイルや音楽ファイルを再生している間（ステップＳ１２２）に、受信状態が良好な状態に復帰し、その状態が１５秒以上継続されると（ステップＳ１２３）、代替ファイルの再生を停止した後（ステップＳ１２４）、ＤＴＶチューナ２は、当初に選択した放送局の番組を再度受信する（ステップＳ１２５）。なお、良好な受信状態を１５秒以上継続することを条件とするのは、一時的な復帰による不安定な状態を回避するためである。
【００５５】
以上のように、本実施例の移動体用デジタル放送受信装置１００では、これを搭載する移動体の移動によってデジタル放送信号が受信不良となった場合、受信していた番組に関連する映像ファイル又は音楽ファイルを再生してユーザに提供し、受信状態が良好になった時点で、再び、選択していた番組を受信して視聴することができるため、ユーザは、快適な状態で自動車等の走行を楽しむことができる。
【００５６】
なお、本発明は、上述した実施例に限定されるものではなく、本発明の要旨を逸脱しない範囲で変更することが可能である。
【００５７】
例えば、上記実施例において、移動体用デジタル放送受信装置１００は録画、再生機能を有するものとして説明したが、任意の番組等のコンテンツを記録したＳＤカード等の記録媒体を装着して再生する再生機能のみを有している場合にも適用可能である。また、記録媒体２４に録画されている映像ファイルに付加される分類データは、ユーザが任意に設定した分類データとすることもできる。
【符号の説明】
【００５８】
１００・・・移動体用デジタル放送受信装置
１・・・アンテナ
２・・・ＤＴＶチューナ
３・・・復調部
４・・・オーディオフィルタ
５・・・オーディオデコーダ
６・・・ビデオフィルタ
７・・・ビデオデコーダ
８・・・データフィルタ
９・・・データデコーダ
１０・・・オーディオエンコーダ
１１・・・ビデオエンコーダ
１２・・・Ｄ／Ａコンバータ
１３・・・ＬＰＦ／ドライバ
１４・・・映像処理部
１５・・・Ｄ／Ａコンバータ
１６・・・ＬＰＦ／ドライバ
１７・・・映像表示部
１８・・・音声出力部
１９・・・スピーカ
２０・・・操作入力部
２１・・・ＣＰＵ
２２・・・ＲＡＭ
２３・・・ＲＯＭ
２４・・・記録媒体
【図１】
2012119834.tif 000003
【図２】
2012119834.tif 000004
【図３】
2012119834.tif 000005
【図４】
2012119834.tif 000006